(57)【要約】      （修正有）【課題】各要素からの組立てまたは分解が可能なスチールワイヤーラックシステム用の簡易目隠し扉ユニットに関する。本考案の課題は、極めて安価で、取付けおよび取外しの簡単なスチールワイヤーラックシステム用の簡易目隠し扉ユニットを提供する。【解決手段】簡易目隠し扉ユニット４が、スチールワイヤーラックシステムに固定するための支持部材４１、および、この支持部材に枢着されている扉本体４２とから成ること、この支持部材が４１、このスチールワイヤーラックシステムに固定するための、少なくとも２つのクランプ部材４４を備えていること、および、この扉本体４２の裏面に、扉閉鎖時に、この扉本体４２をこのスチールワイヤーラックシステムに磁力によって係止するためのマグネット板４６が取付けられている。【選択図】図３
0003105547.tif 000002
【実用新案登録請求の範囲】
【請求項１】
各要素からの組立てまたは分解が可能なスチールワイヤーラックシステム（１）用の簡易目隠し扉ユニットにおいて、
簡易目隠し扉ユニット（４；５）が、スチールワイヤーラックシステム（１）に固定するための支持部材（４１；５１）、および、この支持部材に枢着されている扉本体（４２；５２）とから成ること、
この支持部材が（４１；５１）、このスチールワイヤーラックシステム（１）に固定するための、少なくとも２つのクランプ部材（４４；５４）を備えていること、および、
この扉本体（４２；５２）の裏面に、扉閉鎖時に、この扉本体（４２；５２）をこのスチールワイヤーラックシステム（１）に磁力によって係止するためのマグネット板（４６；５６）が取付けられていること、
を特徴とする簡易目隠し扉ユニット。
【請求項２】
この簡易目隠し扉ユニットを、横方向観音開きの扉ユニット（４）として使用するために、
支持部材（４１）と扉本体（４２）が使用状態で横並びに配設されていること、
この扉本体（４２）が、高さ方向で、スチールワイヤーラックシステム（１）の１段の棚空間を形成する上下のスチールシェルフ（３）を完全に覆う寸法を、および横方向で、このスチールワイヤーラックシステム（１）のポール（２）の内法寸法の半分の寸法を有していること、
この支持部材（４１）が、固定されるスチールワイヤーラックシステム（１）の、円形、または角形のポール（２）の外周に沿って形状変形可能であるように形成されていること、および、
この扉本体（４２）の裏面に、扉本体の閉鎖時に、この扉本体をこのスチールワイヤーラックシステムのスチールシェルフ（３）の側面に磁力によって係止するためのマグネット板（４６）が、支持部材（４１）が枢着されているのと反対側の相応するスチールシェルフ側面の位置に取付けられていること、
を特徴とする請求項１に記載の簡易目隠し扉ユニット。
【請求項３】
この簡易目隠し扉ユニットを、下側開き、または上側開きの扉ユニット（５；６）として使用するために、
支持部材（５１）と扉本体（５２）が使用状態で上下に配設されていること、
この扉本体（５２）が、高さ方向で、スチールワイヤーラックシステム（１）の１段の棚空間を形成する上下のスチールシェルフ（３）を完全に覆う寸法を、および横方向で、このスチールワイヤーラックシステム（１）のポール（２）の内法寸法の半分の寸法を有していること、
この支持部材（５１）が、固定されるスチールワイヤーラックシステムのスチールシェルフ（３）の側面に沿って位置するように、平らに剛性に形成されていること、および、
この扉本体（５２）の裏面に、扉本体の閉鎖時に、この扉本体をこのスチールワイヤーラックシステムのスチールシェルフ（３）の側面に磁力によって係止するためのマグネット板（５６）が、支持部材（５１）が枢着されているのと反対側の相応するスチールシェルフ側面の位置に取付けられていること、
を特徴とする請求項１に記載の簡易目隠し扉ユニット。
【請求項４】
支持部材（４１；５１）、および扉本体（４２；５２）は、再生繊維ボードから成ることを特徴とする請求項１から３のいずれか一つに記載の簡易目隠し扉ユニット。
【請求項５】
支持部材（４１）は、固定されるスチールワイヤーラックシステム（１）の、円形、または角形のポール（２）の外周に沿って形状変形可能とするために、再生繊維ボードに罫線（４８）が加工されていることを特徴とする請求項４に記載の簡易目隠し扉ユニット。
【請求項６】
クランプ部材（４４；５４）は、市販の樹脂製の結束用バンドであることを特徴とする請求項１から５のいずれか一つに記載の簡易目隠し扉ユニット。
【請求項７】
扉本体（４２；５２）には、開閉のための手の挿入開口部（４７、５７）が、支持部材が枢着されているのと反対側の領域に設けられていることを特徴とする請求項１から６のいずれか一つに記載の簡易目隠し扉ユニット。
【考案の詳細な説明】
【技術分野】
【０００１】
本考案は、各要素からの組立てまたは分解が可能なスチールワイヤーラックシステム用の簡易目隠し扉ユニットに関する。
【背景技術】
【０００２】
スチールワイヤーラックシステムは、例えば、株式会社ドウシシャの商品名「Luminous（登録商標）」のような、組立てまたは分解が可能なラックシステムとして、広く販売されている。このスチールワイヤーラックシステムは、主要パーツとして、四隅に使用される支柱としてのポール、および、棚としての複数のスチールシェルフによって組立てられる。このようなスチールワイヤーラックシステムは、パーツをして購入して、ユーザーが組立てる様式であり、多彩な仕上がりパターンによって、ユーザーの多彩なライフスタイルの変化に自在に対応できること、また、書籍、キッチン小物、リビング小物、および、衣料品等を、自在に収納できることで有利である。しかし、このスチールワイヤーラックシステムは、基本的に開放性であり、これら収納物が外から見え、来客等の目から隠したい品物を収納する場合には、別パーツとして箱形のチェスト、もしくはキャビネット、または引出しユニット、キャンバスレールバスケットユニット等を使用する必要がある。
【０００３】
このような扉付きの収納棚は、例えば、特開２０００−８３７４７号公報（特許文献１）、特開２００２−３６０号公報（特許文献２）から公知である。これら扉付きの収納棚は、しかしながら、取付けに手間暇がかかり、しかも高価であるという欠点がある。このような扉付きの収納棚は、単に、簡易な目隠しだけを希望する、ユーザーの要求には沿っていない。
【特許文献１】特開２０００−８３７４７号公報
【特許文献２】特開２００２−３６０号公報
【考案の開示】
【考案が解決しようとする課題】
【０００４】
従って、本考案の根底をなす課題は、極めて安価で、取付けおよび取外しの簡単なスチールワイヤーラックシステム用の簡易目隠し扉ユニットを提供することにある。
【課題を解決するための手段】
【０００５】
この課題は本考案に従い、
簡易目隠し扉ユニットが、スチールワイヤーラックシステムに固定するための支持部材、および、この支持部材に枢着されている扉本体とから成ること、
この支持部材が、このスチールワイヤーラックシステムに固定するための、少なくとも２つのクランプ部材を備えていること、および、
この扉本体の裏面に、扉閉鎖時に、この扉本体をこのスチールワイヤーラックシステムに磁力によって係止するためのマグネット板が取付けられていること、
によって解決される。
【考案の効果】
【０００６】
本考案による他の有利な構成は、実用新案登録請求の範囲の従属請求項に記載されている。
【０００７】
本考案による簡易目隠し扉ユニットは、単に、スチールワイヤーラックシステムに固定するための支持部材、および、この支持部材に枢着されている扉本体から成るユニットとして構成され、従って、簡易な目隠しだけを希望するユーザーの要求を十分に満たし、且つ、極めて安価である。
且つ、本考案による簡易目隠し扉ユニットの支持部材は、スチールワイヤーラックシステムに固定するために、少なくとも２つのクランプ部材、例えばタイラップ（登録商標）を備えており、このクランプ部材の使用によって、このスチールワイヤーラックシステムのポール、またはスチールシェルフへの取付け、取外しが極めて簡単である。更に、本考案による簡易目隠し扉ユニットの扉本体の裏面に、扉閉鎖時に、この扉本体をこのスチールワイヤーラックシステムに磁力によって係止するためのマグネット板が取付けられていることによって、不所望の扉の開放が防止可能である。
【０００８】
請求項２の特徴により、本考案による簡易目隠し扉ユニットは、横方向観音開きの扉ユニットとして使用するために、支持部材と扉本体が使用状態で横並びに配設されており、この扉本体が、高さ方向で、スチールワイヤーラックシステムの１段の棚空間を形成する上下のスチールシェルフを完全に覆う寸法を、および横方向で、このスチールワイヤーラックシステムのポールの内法の半分の寸法を有しており、このことによって、簡易な目隠しだけを希望するユーザーの要求を十分に満たす。更に、この支持部材は、固定されるスチールワイヤーラックシステムの、円形、または角形のポールの外周に沿って形状変形可能、即ち可撓性であるように形成されており、スチールワイヤーラックシステムの、各種シリーズにより異なる形状とサイズのポールに対応可能である。この支持部材は、これらポールの外周に巻かれ、備えられているクランプ部材でもって、外周から巻き付け固定される。更に、この扉本体の裏面に、扉本体の閉鎖時に、この扉本体をこのスチールワイヤーラックシステムのスチールシェルフの側面に磁力によって係止するためのマグネット板が、支持部材が枢着されているのと反対側の相応するスチールシェルフ側面の位置に取付けられており、不所望の扉の開放が防止可能である。
【０００９】
請求項３の特徴により、本考案による簡易目隠し扉ユニットは、下側開き、または上側開きの扉ユニットとして使用するために、支持部材と扉本体が使用状態で上下並びに配設されており、この扉本体が、高さ方向で、スチールワイヤーラックシステムの１段の棚空間を形成する上下のスチールシェルフを完全に覆う寸法を、および横方向で、このスチールワイヤーラックシステムのポールの内法寸法の半分の寸法を有している。この下側開き、または上側開きの扉ユニットは、１つのユニットでもって下側開き、または上側開きをユーザーの希望で、取付け方向の変化だけで兼用可能である。更に、この支持部材は、固定されるスチールワイヤーラックシステムのスチールシェルフの側面に沿って位置するように、平らに剛性に形成されている。この支持部材は、このスチールシェルフの側面に沿って配設され、備えられているクランプ部材でもって、外周から巻き付け固定される。この扉本体の裏面に、扉本体の閉鎖時に、この扉本体をこのスチールワイヤーラックシステムのスチールシェルフの側面に磁力によって係止するためのマグネット板が、支持部材が枢着されているのと反対側の相応するスチールシェルフ側面の位置に取付けられており、不所望の扉の開放が防止可能である。
【００１０】
請求項４の特徴により、本考案による支持部材、および扉本体は、再生繊維ボード、例えば、北越製紙株式会社から販売されている「パスコ（登録商標）」から成っている。この再生繊維ボードは、通常のダンボール等に比較して強度があり、耐磨耗性、耐衝撃性を有し、反り・カールなどの変形が無く、更に、地球にやさしい商品であるという特徴を有している。
【００１１】
請求項５の特徴により、本考案による支持部材は、固定されるスチールワイヤーラックシステムの、円形、または角形のポールの外周に沿って形状変形可能とするために、再生繊維ボードに罫線が加工されている。これら再生繊維ボードに罫線加工により、この再生繊維ボードは、可撓性を有することとなり、円形、または角形のポールの外周に沿って巻き付け可能となり、確実な固定状態が得られる。
【００１２】
請求項６の特徴により、本考案によるクランプ部材は、市販の樹脂製の結束用バンド、例えばタイラップ（登録商標）であり、このクランプ部材の使用によって、このスチールワイヤーラックシステムのポール、またはスチールシェルフへの取付け、取外しが極めて簡単である。
【００１３】
請求項７の特徴により、本考案による扉本体には、開閉のための手の挿入開口部が、支持部材が枢着されているのと反対側の領域に設けられている。このことによって、これら扉の開閉が問題無く行われ得る。
【００１４】
次に、図を参照して本考案の実施の形態を詳しく説明する。
【考案を実施するための最良の形態】
【００１５】
図１は、組立て完成されたスチールワイヤーラックシステム１の図である。このスチールワイヤーラックシステム１は、主要パーツとして、四隅に使用される支柱としてのポール２、および、棚としての複数のスチールシェルフ３によって組立てられている。これらスチールシェルフ３の上には、書籍、キッチン小物、および、衣料品等を、自在に収納できる。
【００１６】
図２は、本考案による簡易目隠し扉ユニットを、スチールワイヤーラックシステム１に取付けた状態の図であり、この図の下方の実施形態が、横方向観音開きの扉ユニット４として使用したもの、および、上方の実施形態が下側開きの扉ユニット５として使用した場合のものである。
【００１７】
図３には、横方向観音開きの扉ユニット４の詳細が図示されており、このユニットは、スチールワイヤーラックシステム１に固定するための支持部材４１、および、扉本体４２とから成り、これら支持部材と扉本体が、少なくとも２つのヒンジ４３によって枢着されている。この支持部材４１には、少なくとも２つのヒンジ４３の固定点を結ぶほぼ線上に少なくとも２つの穿孔４５が設けられており、これら穿孔４５を通して、スチールワイヤーラックシステム１のポール２にこの支持部材４１固定するための、少なくとも２つのクランプ部材４４がそれぞれに備えられている。扉本体の裏面に、扉閉鎖時に、この扉本体をこのスチールワイヤーラックシステムに磁力によって係止するための、少なくとも１つのマグネット板４６が取付けられている。この支持部材４１と扉本体４２は、図から明らかなように、横方向観音開きの扉ユニット４として使用するために使用状態で横並びに配設されている。この扉本体は、高さ方向で、スチールワイヤーラックシステムの１段の棚空間を形成する上下のスチールシェルフを完全に覆う寸法Aを、および横方向で、このスチールワイヤーラックシステムのポールの内法寸法の半分の寸法B／２を有している。この支持部材４１は、固定されるスチールワイヤーラックシステム１の、円形、または角形のポール２の外周に沿って形状変形可能であるように形成されている。
【００１８】
図４には、下側開き、または上側開きの扉ユニット５の詳細が図示されており、このユニットは、スチールワイヤーラックシステム１に固定するための支持部材５１、および、扉本体５２とから成り、これら支持部材と扉本体が、少なくとも２つのヒンジ５３によって枢着されている。この支持部材５１には、少なくとも２つのヒンジ５３の間に、スチールワイヤーラックシステム１のスチールシェルフ３の側面にこの支持部材５１固定するための、少なくとも２つのクランプ部材５５が、図に示すようにそれぞれに備えられている。扉本体の裏面に、扉閉鎖時に、この扉本体をこのスチールワイヤーラックシステムに磁力によって係止するための、少なくとも１つのマグネット板５６が取付けられている。この支持部材５１と扉本体５２は、図から明らかなように、下側開きの扉ユニット５として使用するために使用状態で上下に配設されている。この扉本体は、高さ方向で、スチールワイヤーラックシステムの１段の棚空間を形成する上下のスチールシェルフを完全に覆う寸法Aを、および横方向で、このスチールワイヤーラックシステムのポールの内法寸法の半分の寸法B／２を有している。この支持部材５１は、固定されるスチールワイヤーラックシステムのスチールシェルフの側面に沿って位置するように、平らに剛性に形成されている。この支持部材５１は、図５に示しているように、スチールシェルフの側面に沿って、折り返された状態で固定される。
【００１９】
この図４の下側開きの扉ユニット５を、天地逆に使用すると、図６に示されているように、上側開きの扉ユニット６として使用可能である。
【００２０】
支持部材４１、５１、および扉本体４２、５２は、再生繊維ボード、例えば、北越製紙株式会社から販売されている「パスコ（登録商標）」から成っている。しかしながら、材料は、これに限られるものではなく、バルカナイズド・ファイバー、樹脂、木材、金属、通常のダンボール等であっても良い。ただし、本考案による再生繊維ボードは、安価でありながら強度があり、耐磨耗性、耐衝撃性を有し、反り・カールなどの変形が無く、更に、地球にやさしい商品であるという点で、他の材料よりも優れている。
【００２１】
この実施例では、デザイン等の理由で、扉本体４２、５２の外周が表面方向の折り返され、鋲でもって固定されている。また、これら扉本体は、適当に四隅で面取りされていても良い。更に、これら扉本体に対する支持部材の長さは、本実施例では、１０ｃｍ〜２０ｃｍ程、短く寸法設定されているが、この寸法は、任意である。更に、これら扉本体４２、５２の高さ、および幅は、市販の種々のスチールワイヤーラックシステムの寸法に相応する大きさで寸法設定されることは、言うまでもない。
【００２２】
図７で示しているように、支持部材４１は、固定されるスチールワイヤーラックシステムの、円形、または角形のポールの外周に沿って形状変形可能とするために、再生繊維ボードに罫線４８が複数加工されている。この図７では、見通しの理由から、扉本体４２、一方のクランプ部材４４等は、図示されていない。
【００２３】
クランプ部材４４、５４は、市販の樹脂製の結束用バンド、例えばタイラップ（登録商標）である。
【００２４】
扉本体４２、５２には、開閉のための手の挿入開口部４７、５７が、支持部材が枢着されているのと反対側の領域に設けられている。
【００２５】
ラックシステムは、スチールワイヤーラックシステムに限られない。ラックシステムが、スチールでない場合は、扉本体の裏面取付けられたマグネット板４６の相手側のために、例えばスチール板片がシェルフの側面に粘着剤等で固定されても良い。
【図面の簡単な説明】
【００２６】
【図１】組立て完成されたスチールワイヤーラックシステムの全体図である。
【図２】本考案による簡易目隠し扉ユニットを、スチールワイヤーラックシステムに取付けた状態の図である。
【図３】横方向観音開きの扉ユニットの詳細図である。
【図４】下側開き、または上側開きの扉ユニットの詳細図である。
【図５】下側開き、または上側開きの扉ユニットの、支持部材のスチールシェルフへの固定状態を説明した図である。
【図６】下側開きの扉ユニットを、天地逆に使用して、上側開きの扉ユニットとして使用した図である。
【図７】再生繊維ボードへの罫線加工を説明した図である。
【符号の説明】
【００２７】
１    スチールワイヤーラックシステム
２    ポール
３    スチールシェルフ
４    横方向観音開きの扉ユニット
５    下側開きの扉ユニット
６    上側開きの扉ユニット
４１、  ５１  支持部材
４２、  ５２  扉本体
４３、  ５３  ヒンジ
４４、  ５４  クランプ部材
４５    穿孔
４６、  ５６  マグネット板
４７、  ５７  開口部
４８    罫線
Ａ    寸法
Ｂ    寸法
【図１】
0003105547.tif 000003
【図２】
0003105547.tif 000004
【図３】
0003105547.tif 000005
【図４】
0003105547.tif 000006
【図５】
0003105547.tif 000007
【図６】
0003105547.tif 000008
【図７】
0003105547.tif 000009